(57)【要約】【課題】情報表示層にて表示される情報を斜めから見た場合であっても見ににくくなることを回避することができるとともに、防湿性を高める。【解決手段】情報表示層３０による表示色を視認する側となる透明導電膜基板２０上に、表面にプライマー処理が施された透明バリアフィルム４４を積層するとともに、反対側の表面にアルミ層１３を積層し、さらに、樹脂基材１２と透明バリアフィルム４４とを、表示電極１１ａ〜１１ｕ、情報表示層３０及び透明導電膜基板２０を挟み込んだ状態で、その周囲にてホットメルト５０によって接着する。【選択図】図１
2012008317.tif 000002
【特許請求の範囲】
【請求項１】
ベース基材上に形成された複数の表示電極からなる第１の電極層と、透明基板上に形成され、前記第１の電極層に対向するように配置された第２の電極層と、前記第１の電極層と前記第２の電極層との間に挟み込まれた情報表示層とを有し、前記複数の表示電極と前記第２の電極層との間の電位差に応じた前記情報表示層による色が前記第２の電極層及び前記透明基板を介して認識される情報表示装置において、
前記ベース基材は、水蒸気バリア性を具備し、
前記透明基板の前記第２の電極層が形成された面とは反対側の面に、表面に反射防止処理が施された透明なバリアフィルムが積層され、
前記ベース基材と前記バリアフィルムとが、前記第１及び第２の電極層、並びに前記情報表示層及び前記透明基板を挟み込んだ状態でその周囲にて互いに接着されることにより、前記第１及び第２の電極層、並びに前記情報表示層及び前記透明基板が封止されていることを特徴とする情報表示装置。
【発明の詳細な説明】
【技術分野】
【０００１】
本発明は、対向配置された２つの電極層間に挟み込まれた情報表示層において電極層に印加される電圧に基づいて情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある（例えば、特許文献１参照。）。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図４は、一般的な電気泳動ディスプレイの一例を示す図であり、（ａ）は表面図、（ｂ）は（ａ）に示したＡ−Ａ’断面図、（ｃ）は（ｂ）に示したＡ部拡大図である。
【０００５】
本例は図４に示すように、ＰＥＴ等からなる樹脂基材１１２の一方の面に表示電極１１１ａ〜１１１ｕが形成された表示装置用電極基板１１０と、ガラスや透明フィルム等からなる透明基板１２２の一方の面に透明電極（例えば、ＩＴＯ：Indium Tin Oxide）１２１が形成されてなる透明導電膜基板１２０との間に情報表示層１３０が挟み込まれ、さらに、透明導電膜基板１２０上にマスクフィルム１４０が積層されて構成された電気泳動ディスプレイである。
【０００６】
表示装置用電極基板１１０は、樹脂基材１１２の一方の面に、表示される情報に応じたパターンで表示電極１１１ａ〜１１１ｕが形成されているとともに、樹脂基材１１２の他方の面には、その全面にアルミ層１１３が積層されている。本例は、この表示電極１１１ａ〜１１１ｕを用いて数字を表示するものであって、表示電極１１１ａ〜１１１ｃによって３つのセグメントからなる表示部と、表示電極１１１ｄ〜１１１ｌによって９つのセグメントからなる表示部と、表示電極１１１ｍ〜１１１ｕによって９つのセグメントからなる表示部とからなり、樹脂基材１１２に形成された配線（不図示）を介して、これら表示電極１１１ａ〜１１１ｕに対して選択的に電圧が印加され、“０”〜“１９９”の数字を表示することができる。
【０００７】
情報表示層１３０は図４（ｃ）に示すように、隔壁１３１とシール層１３４とで囲まれた領域に、帯電性粒子１３３が分散した隔壁内液体１３２が収容されて構成されている。そして、表示装置用電極基板１１０、情報表示層１３０及び透明導電膜基板１２０は、透明電極１２１と表示電極１１１ａ〜１１１ｕとが、隔壁１３１とシール層１３４とで囲まれた領域に収容された隔壁内液体１３２を介して対向するように積層されている。なお、隔壁１３１は、底部と、情報表示層１３０の外周部となる側部と、側部で囲まれた領域を複数の領域に区画するための壁部とからなり、底部とは反対側の面が開口した形状となっている。そして、底部側が透明導電膜基板１２０に対向するように積層されており、開口した側にシール層１３４が積層されている。
【０００８】
マスクフィルム１４０は、ＰＥＴ等からなる透明なフィルム基材１４１上に、上述した表示電極１１１ａ〜１１１ｕによる表示部を取り囲むようにマスク印刷１４２が施されており、それにより、情報表示装置１０１の周囲において表示電極１１１ａ〜１１１ｕに接続された配線を隠蔽している。
【０００９】
上記のように構成された電気泳動ディスプレイにおいては、表示電極１１１ａ〜１１１ｕに選択的に電圧が印加されると、隔壁内液体１３２内にて帯電性粒子１３３がクーロン力で移動し、表示電極１１１ａ〜１１１ｕと透明電極１２１のいずれか一方の側に引き寄せられる。そして、隔壁内液体１３２が染料または顔料で黒色に着色されており、帯電性粒子１３３が高屈折率の光散乱成分を含むため、マスクフィルム１４０側から見た場合、表示電極１１１ａ〜１１１ｕ側に帯電性粒子１３３が引き寄せられた領域が黒系色に見え、また、透明電極１２１側に帯電性粒子１３３が引き寄せられた領域が白系色に見え、これら見える色の違いによって所望の情報が認識されることになる。
【先行技術文献】
【特許文献】
【００１０】
【特許文献１】特開２００７−１１４３０２号公報
【発明の概要】
【発明が解決しようとする課題】
【００１１】
上述した電気泳動ディスプレイのような情報表示装置においては、情報表示層及び電極を保護し、かつ、情報表示層にて表示される情報を視認可能な構成とするために、その表面がフィルム等の材料で覆われているが、一般的にフィルム等の材料はその表面が平坦な構造となっている。
【００１２】
図５は、図４に示した電気泳動ディスプレイを斜めから見た場合の作用を説明するための図である。
【００１３】
図４に示した電気泳動ディスプレイを斜めから見た場合、電気泳動ディスプレイにて情報が視認される面側において、情報を視認する視点１０５に対して、視認する情報が表示される情報視認点１０６を挟んで反対側に蛍光灯等の光源１０２が配置され、かつ、情報視認点１０６に対する視点１０５からの視認角度θが、蛍光灯等の光源１０２からの照射光１０３の情報視認点１０６に対する照射角度θと同一であると、図５に示すように、蛍光灯等の光源１０２から照射された照射光１０３が、電気泳動ディスプレイの表面となるフィルム基材１４１上にて反射して視点１０５に向かい、その反射光１０４の影響により、情報表示層１３０にて表示された情報が見難くなってしまうという問題点がある。
【００１４】
また、情報表示層１３０や表示電極１１１ａ〜１１１ｕ、透明電極１２１に外部から水分が一定量以上浸透した場合、表示性能が劣化してしまうが、図４に示した構成の電気泳動ディスプレイにおいては、樹脂基材１１２の裏面に積層されたアルミ層１１３によって防湿性が保たれているものの、マスクフィルム１４０側やその側面においては防湿性が保たれているとは言い難く、水分が浸透してきてしまう虞れがある。
【００１５】
本発明は、上述したような従来の技術が有する問題点に鑑みてなされたものであって、情報表示層にて表示される情報を斜めから見た場合であっても見ににくくなることを回避することができるとともに、防湿性を高めることができる情報表示装置を提供することを目的とする。
【課題を解決するための手段】
【００１６】
上記目的を達成するために本発明は、
ベース基材上に形成された複数の表示電極からなる第１の電極層と、透明基板上に形成され、前記第１の電極層に対向するように配置された第２の電極層と、前記第１の電極層と前記第２の電極層との間に挟み込まれた情報表示層とを有し、前記複数の表示電極と前記第２の電極層との間の電位差に応じた前記情報表示層による色が前記第２の電極層及び前記透明基板を介して認識される情報表示装置において、
前記ベース基材は、水蒸気バリア性を具備し、
前記透明基板の前記第２の電極層が形成された面とは反対側の面に、表面に反射防止処理が施された透明なバリアフィルムが積層され、
前記ベース基材と前記バリアフィルムとが、前記第１及び第２の電極層、並びに前記情報表示層及び前記透明基板を挟み込んだ状態でその周囲にて互いに接着されることにより、前記第１及び第２の電極層、並びに前記情報表示層及び前記透明基板が封止されていることを特徴とする。
【００１７】
上記のように構成された本発明においては、第２の電極層及び透明基板を介して情報表示層を視認した場合に、複数の表示電極と第２の電極層との間の電位差に応じた情報表示層による色が認識されることになるが、情報表示層による色を視認する側、すなわち、透明基板側の表面が平坦形状となっていると、この情報表示装置を斜めから見た場合、情報表示装置にて情報が視認される面側において、情報を視認する視点に対して、視認する情報が認識される情報視認点を挟んで反対側に蛍光灯等の光源が配置され、かつ、情報視認点に対する視点からの視認角度が、光源からの照射光の情報視認点に対する照射角度と同一であると、光源から照射された照射光が、情報表示装置の表面にて反射して視点に向かい、その反射光の影響により、情報表示層による色によって認識される情報が見難くなってしまう。ここで、本発明においては、情報表示層による色を視認する側となる透明基板の第２の電極層が形成された面とは反対側の面に、表面に反射防止処理が施された透明なバリアフィルムが積層されているので、この反射防止処理によって、情報表示装置を斜めから見た場合、光源から照射された照射光がこのバリアフィルムの表面にて情報を視認する視点の方向に全て反射することがなくなり、情報表示層による色によって認識される情報が見にくくなってしまうことがない。また、このように第２の電極層が形成された透明基板にはバリアフィルムが積層されており、一方、第１の電極層が形成されたベース基材が水蒸気バリア性を具備するので、情報表示装置の表裏からの水分の浸入が大幅に抑制される。また、ベース基材とバリアフィルムとが、第１及び第２の電極層、並びに情報表示層及び透明基板を挟み込んだ状態でその周囲にて互いに接着されることにより、第１及び第２の電極層、並びに情報表示層及び透明基板が封止されているので、情報表示装置の側面からの水分の浸入についても大幅に抑制される。
【発明の効果】
【００１８】
以上説明したように本発明においては、情報表示層による色を視認する側となる透明基板の第２の電極層が形成された面とは反対側の面に、表面に反射防止処理が施されたバリアフィルムが積層されている構成としたため、情報表示装置を斜めから見た場合、光源から照射された照射光がこのバリアフィルムの表面にて情報を視認する視点の方向に全て反射することがなくなり、情報表示層による色によって認識される情報が見にくくなることを回避することができる。また、このように第２の電極層が形成された透明基板にはバリアフィルムが積層されており、一方、第１の電極層が形成されたベース基材が水蒸気バリア性を具備するため、情報表示装置の表裏からの水分の浸入が大幅に抑制され、また、ベース基材とバリアフィルムとが、第１及び第２の電極層、並びに情報表示層及び透明基板を挟み込んだ状態でその周囲にて互いに接着されることにより、第１及び第２の電極層、並びに情報表示層及び透明基板が封止されているため、情報表示装置の側面からの水分の浸入についても大幅に抑制され、防湿性を高めることができる。
【図面の簡単な説明】
【００１９】
【図１】本発明の情報表示装置の実施の一形態を示す図であり、（ａ）は表面図、（ｂ）は（ａ）に示したＡ−Ａ’断面図、（ｃ）は（ｂ）に示したＡ部拡大図である。
【図２】図１に示した情報表示装置の動作を説明するための図である。
【図３】図１に示した情報表示装置において表面にプライマー処理が施された透明バリアフィルムによる作用を説明するための図である。
【図４】一般的な電気泳動ディスプレイの一例を示す図であり、（ａ）は表面図、（ｂ）は（ａ）に示したＡ−Ａ’断面図、（ｃ）は（ｂ）に示したＡ部拡大図である。
【図５】図４に示した電気泳動ディスプレイを斜めから見た場合の作用を説明するための図である。
【発明を実施するための形態】
【００２０】
以下に、本発明の実施の形態について図面を参照して説明する。
【００２１】
図１は、本発明の情報表示装置の実施の一形態を示す図であり、（ａ）は表面図、（ｂ）は（ａ）に示したＡ−Ａ’断面図、（ｃ）は（ｂ）に示したＡ部拡大図である。
【００２２】
本形態は図１に示すように、ＰＥＴ等からなる樹脂基材１２の一方の面に第１の電極層を構成する複数の表示電極１１ａ〜１１ｕが形成された表示装置用電極基板１０と、ガラスや透明フィルム等からなる透明基板２２の一方の面に第２の電極層となる透明電極２１が形成されてなる透明導電膜基板２０との間に情報表示層３０が挟み込まれ、さらに、透明導電膜基板２０上にマスクフィルム４０が積層されて構成されている。
【００２３】
表示装置用電極基板１０は、樹脂基材１２の一方の面に、表示される情報に応じたパターンで表示電極１１ａ〜１１ｕが形成されているとともに、樹脂基材１２の他方の面には、その全面にバリア層となるアルミ層１３が積層されている。そして、この樹脂基材１２とアルミ層１３とから本発明のベース基材が構成されている。本形態は、この表示電極１１ａ〜１１ｕを用いて数字を表示するものであって、表示電極１１ａ〜１１ｃによって３つのセグメントからなる表示部と、表示電極１１ｄ〜１１ｌによって９つのセグメントからなる表示部と、表示電極１１ｍ〜１１ｕによって９つのセグメントからなる表示部とからなり、樹脂基材１２の表示電極１１ｍ〜１１ｕが形成された面にてこれら表示電極１１ｍ〜１１ｕと接続されて形成された配線（不図示）を介して、これら表示電極１１ａ〜１１ｕに対して選択的に電圧が印加され、“０”〜“１９９”の数字を表示することができる。
【００２４】
情報表示層３０は図１（ｃ）に示すように、隔壁３１とシール層３４とで囲まれた領域に、帯電性粒子３３が分散した隔壁内液体３２が収容されて構成されている。そして、表示装置用電極基板１０、情報表示層３０及び透明導電膜基板２０は、透明電極２１と表示電極１１ａ〜１１ｕとが、隔壁３１とシール層３４とで囲まれた領域に収容された隔壁内液体３２を介して対向配置されるように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が透明導電膜基板２０に対向するように積層されており、開口した側にシール層３４が積層されている。
【００２５】
マスクフィルム４０は、透明導電膜基板２０上に積層された透明バリアフィルム４４と、この透明バリアフィルム４４の表面のうち、表示電極１１ａ〜１１ｕに対向しない領域の全面に、隠蔽インキを含有した着色インキを用いて施されたマスク印刷４２とから構成されており、それにより、表示電極１１ａ〜１１ｕに接続された配線を隠蔽している。透明バリアフィルム４４は、透明基材４３上に、水蒸気を通しにくいものからなる透明バリア層４１が積層されて構成されており、その水蒸気バリア性は、ＪＩＳ Ｋ ７１２９に準じて４０℃、９０％ＲＨで測定した水蒸気透過度が、０．５ｇ／ｍ2・ｄａｙ以下が好ましく、０．３ｇ／ｍ2・ｄａｙ以下がより好ましく、０．１ｇ／ｍ2・ｄａｙ以下が更に好ましい。この透明バリア層４１の透明導電膜基板２０とは反対側の表面にプライマー処理が施されている。また、このプライマー処理として、透明バリア層４１の表面に凹凸が生じるようなマット効果を有するプライマー剤を塗工する処理が施されており、それにより、プライマー処理によって反射防止処理が施された状態となっている。このように構成されたマスクフィルム４０は、透明基材４３が透明基板２２と対向するように透明導電膜基板２０上に積層されている。
【００２６】
そして、樹脂基材１２と透明基材４３とが、樹脂基材１２上に形成された表示電極１１ａ〜１１ｕ、情報表示層３０及び透明導電膜基板２０を挟み込んだ状態で、その周囲にてホットメルト５０によって接着されることによって、表示電極１１ａ〜１１ｕ、情報表示層３０及び透明導電膜基板２０が封止されている。そのため、透明基材４３及び透明バリア層４１と樹脂基材１２及びアルミ層１３の積層面の面積が、情報表示層３０及び透明導電膜基板２０よりも一回り広いものとなっている。
【００２７】
以下に、上記のように構成された情報表示装置１の動作について説明する。
【００２８】
図２は、図１に示した情報表示装置１の動作を説明するための図であり、図１（ｃ）に示した領域における動作を例として示す。
【００２９】
上記のように構成された情報表示装置１においては、透明電極２１に所定の電圧が印加されるとともに、表示電極１１ａ〜１１ｕに選択的に電圧が印加されると、表示電極１１ａ〜１１ｕと透明電極２１との間に生じた電位差によって隔壁内液体３２内にて帯電性粒子３３がクーロン力で移動し、表示電極１１ａ〜１１ｕと透明電極２１のいずれか一方の側に引き寄せられていく。そして、隔壁内液体３２が染料または顔料で黒色に着色されており、帯電性粒子３３が高屈折率の光散乱成分を含むため、透明導電膜基板２０側から見た場合、表示電極１１ａ〜１１ｕ側に帯電性粒子３３が引き寄せられた領域が黒系色に見え、また、透明電極２１側に帯電性粒子３３が引き寄せられた領域が白系色に見え、これら見える色の違いによって所望の情報が認識されることになる。
【００３０】
例えば、透明電極２１が０Ｖとされた状態で、表示電極１１ｌにマイナスの電圧が印加されるとともに、表示電極１１ｓにプラスの電圧が印加されると、情報表示層３０の表示電極１１ｌに対向する領域においては、表示電極１１ｌに対して透明電極２１側がプラスとなる電位差が生じ、また、情報表示層３０の表示電極１１ｓに対向する領域においては、表示電極１１ｓに対して透明電極２１側がマイナスとなる電位差が生じる。すると、隔壁３１及びシール層３４で囲まれた領域に収容された隔壁内液体３２が誘電性物質からなり、帯電性粒子３３がプラス電位に帯電しているものであることから、図２に示すように、情報表示層３０の表示電極１１ｌに対向する領域においては、帯電性粒子３３が表示電極１１ｌ側に引き寄せられていき、また、情報表示層３０の表示電極１１ｓに対向する領域においては、帯電性粒子３３が透明電極２１側に引き寄せられていく。
【００３１】
そして、隔壁内液体３２が染料または顔料で黒色に着色されており、帯電性粒子３３が高屈折率の光散乱成分を含むため、この情報表示装置１を透明導電膜基板２０側から見た場合、表示電極１１ｌに対向する領域においては、情報表示層３０による黒系色が透明導電膜基板２０及びマスクフィルム４０を介して認識され、また、表示電極１１ｓに対向する領域においては、情報表示層３０による白系色が透明導電膜基板２０及びマスクフィルム４０を介して認識されるようになる。
【００３２】
このように、透明電極２１に所定の電圧が印加されるとともに、表示電極１１ａ〜１１ｕに選択的に電圧が印加されることにより、白系色を背景色として黒系色で“０”〜“１９９”の数字が認識されることになる。
【００３３】
以下に、図１に示した情報表示装置１において表面にプライマー処理が施された透明バリアフィルム４４による作用について説明する。
【００３４】
図３は、図１に示した情報表示装置１において表面にプライマー処理が施された透明バリアフィルム４４による作用を説明するための図である。
【００３５】
図１に示した情報表示装置１においては、表示電極１１ａ〜１１ｕに対向する領域において、上述したように情報表示層３０によって黒系色表示または白系色表示となっている。そして、表示電極１１ａ〜１１ｕに対向する領域においては、マスク印刷４２が施されていないため、図１に示した情報表示装置１を斜めから見た場合、図３に示すように、蛍光灯等の光源２から照射された照射光３が透明バリアフィルム４４の表面にて反射することになる。ここで、透明バリアフィルム４４の表面にはプライマー処理が施されているが、このプライマー処理は、上述したように、透明バリア層４１の表面に凹凸が生じるようなマット効果を有するプライマー剤を塗工する処理であるため、プライマー処理が施されることによってその表面に微細な凹凸が生じている。
【００３６】
そのため、蛍光灯等の光源２から照射された照射光３は、プライマー処理によって透明バリア層４１の表面に生じた微細な凹凸にて乱反射し、透明バリアフィルム４４の表面においては一定の方向には反射しない。それにより、情報表示装置１にて情報が視認される面側において、情報を視認する視点５に対して、視認する情報が認識される情報視認点６を挟んで反対側に光源２が配置され、かつ、情報視認点６に対する視点５からの視認角度θが、光源２からの照射光３の情報視認点６に対する照射角度θと同一であっても、光源２から照射された照射光３は、透明バリアフィルム４４の表面においては、情報を視認する視点５の方向にはその一部しか反射しない、もしくは全く反射しなくなる。そのため、情報を視認する視点５においては、情報表示装置１の表面にて反射した反射光４の影響をほとんど受けることがなく、情報表示層３０の表示電極１１ａ〜１１ｕに対向する領域にて認識される情報が見にくくなってしまうことがなくなる。
【００３７】
また、透明バリアフィルム４４の表面において表示電極１１ａ〜１１ｕに対向しない領域の全面に隠蔽インキを含有した着色インキを用いてマスク印刷４２が施されているため、表示電極１１ａ〜１１ｕによる情報の表示領域の近傍のみならず、樹脂基材１２の表示電極１１ａ〜１１ｕ間に配線が配置されている場合であっても、その配線による情報表示層３０の色の変化を隠蔽することができる。なお、マスク印刷４２を構成する着色インキを、表示電極１１ａ〜１１ｕに対向する領域における背景色となる白系色と同一の色となるように隠蔽インキに混合することにより、表示電極１１ａ〜１１ｕに対向する領域において情報を認識しやすくすることができる。
【００３８】
また、プライマー処理は、その表面に印刷やコーティング等の処理が施された場合にその印刷やコーティング等による層との密着性を向上させることができるものであるため、プライマー処理が施された透明バリアフィルム４４上にマスク印刷４２によるインキが定着しやすくなっている。
【００３９】
以下に、図１に示した情報表示装置１における防湿性について説明する。
【００４０】
図１に示した情報表示装置１においては、一方の面には、樹脂基材１２の表示電極１１ａ〜１１ｕが形成された面とは反対側の面の全面にアルミ層１３が積層されており、他方の面には、透明導電膜基板２０の情報表示層３０とは反対側の面の全面に透明バリアフィルム４４が積層されている。ここで、アルミ層１３においては、金属が樹脂に比べて水蒸気バリア性が高く、かつ静電気を１点ではなく拡散する効果を奏するものであり、また、透明バリアフィルム４４においては、上述したように、透明基材４３上に水蒸気を通しにくいものからなる透明バリア層４１が積層されてなるものであるため、その表裏からの湿気は、これらアルミ層１３及び透明バリアフィルム４４によって遮断され、情報表示装置１内への水分の浸入が大幅に抑制される。また、透明バリアフィルム４４と樹脂基材１２とが、樹脂基材１２上に形成された表示電極１１ａ〜１１ｕ、情報表示層３０及び透明導電膜基板２０を挟み込んだ状態で、その周囲にてホットメルト５０によって接着されることによって、表示電極１１ａ〜１１ｕ、情報表示層３０及び透明導電膜基板２０が封止されているため、その側面からの湿気は、ホットメルト５０によって遮断され、情報表示装置１の側面からの水分の浸入についても大幅に抑制される。
【００４１】
このように、情報表示装置１の表裏においてはアルミ層１３及び透明バリアフィルム４４によって、また、情報表示装置１の側面においてはホットメルト５０によってそれぞれ防湿性が保たれているため、情報表示装置１の内部への外部からの水分の侵入が大幅に抑制されることになる。
【００４２】
なお、本形態においては、樹脂基材１２の表示電極１１ａ〜１１ｕが形成された面とは反対側の面に積層されたアルミ層１３によって、情報表示装置１の裏面からの水分の侵入が抑制されているが、情報表示装置１の裏面からの水分の侵入を抑制する手段は、水蒸気透過性が低く、水蒸気バリア性を具備するものであればアルミ層１３に限らない。また、樹脂基材１２の代わりに水蒸気バリア性を具備する基材を用いることにより、アルミ層１３等の水蒸気バリア性を具備する層を積層することなく、情報表示装置１の裏面からの水分の侵入を抑制することも考えられる。なお、樹脂基材１２の代わりに用いる基材の水蒸気バリア性は、上述した透明バリアフィルム４４の水蒸気バリア性と同等のものが好ましい。また、アルミ層１３の代わりにアルミ層１３とは異なる金属を用いた場合の水蒸気バリア性は、０．１ｇ／ｍ2・ｄａｙよりもかなり小さなものとなる。また、樹脂基材１２と透明基材４３とを接着するための手段においても、表示電極１１ａ〜１１ｕ、情報表示層３０及び透明導電膜基板２０を封止できるものであればホットメルト５０に限らない。
【００４３】
また、本形態においては、透明バリアフィルム４４の表面のうち、表示電極１１ａ〜１１ｕに対向しない全面にマスク印刷４２が施されているが、表示電極１１ａ〜１１ｕに接続された配線が樹脂基材１２の裏面に形成されている場合等においては、マスク印刷４２は、必要最低限なものでよい。その場合でも、情報表示層３０にて表示される情報を視認する側にて表出した透明バリアフィルム４４の全面にプライマー処理が施されているので、上述したように光の反射による視認性の低下が回避されることになる。
【００４４】
また、本形態においては、透明基材４３上に積層された透明バリア層４１の表面に、凹凸が生じるようなマット効果を有するプライマー剤を塗工することにより、透明バリアフィルム４４の表面にプライマー処理を施したものを例に挙げて説明したが、透明バリア層４１の表面に凹凸を生じさせる加工を施すことによってプライマー処理を施す構成であってもよい。また、透明バリアフィルム４４の構成を、透明基材４３の透明導電膜基板２０側に透明バリア層４１を積層した構成としてもよい。この場合、透明基材４３の表面に上述したようなプライマー処理が施されることになる。また、反射防止処理としては、上述したようなプライマー処理に限らず、透明バリア層４１の表面に、光の屈折率の違いを利用して反射を防止する２層構造の膜を積層することによって反射防止処理を施す構成としてもよい。
【００４５】
また、本形態においては、情報表示層３０として、隔壁内液体３２に分散した帯電性粒子３３が、表示電極１１ａ〜１１ｕと透明電極２１との間の電位差によって表示電極１１ａ〜１１ｕ側または透明電極２１側に移動して表示が切り替わる垂直型電気泳動方式の薄型表示部材を例に挙げて説明したが、情報表示層３０としては、電圧が印加されることにより情報を表示する情報表示層を有するものであれば、コレステリック液晶や電子粉粒タイプのもの等、適宜適用することができる。
【符号の説明】
【００４６】
１    情報表示装置
２    光源
３    照射光
４    反射光
５    視点
６    情報視認点
１０    表示装置用電極基板
１１ａ〜１１ｕ    表示電極
１２    樹脂基材
１３    アルミ層
２０    透明導電膜基板
２１    透明電極
２２    透明基板
３０    情報表示層
３１    隔壁
３２    隔壁内液体
３３    帯電性粒子
３４    シール層
４１    透明バリア層
４２    マスク印刷
４３    透明基材
４４    透明バリアフィルム
５０    ホットメルト
【図１】
2012008317.tif 000003
【図２】
2012008317.tif 000004
【図３】
2012008317.tif 000005
【図４】
2012008317.tif 000006
【図５】
2012008317.tif 000007